(57)【特許請求の範囲】
【請求項１】
角形筒体からなる枠体と、
この枠体内に配置された支持体と、
上記枠体の一側の開口端の角隅部に装着された取付板と、
一端が上記支持体に連結され、他端が上記取付板に上記枠体の一側から連結された取付腕と、
一端が上記支持体に連結され、他端が上記枠体の上記角隅部に対向した他側に連結された取付脚と、
上記支持体に上記枠体の一側から装着された電動機と、
この電動機の出力軸に上記枠体の一側から装着されたファンと
を備えた換気扇。
【請求項２】
取付板を枠体の一辺における上記枠体の互いに隣接した角隅部にそれぞれ装着し、取付腕を上記取付板のそれぞれに配置して一端を支持体に連結し他端は上記取付板に連結し、取付脚をコ字状に形成してコ字の開口端からなる一端を上記枠体の一辺に対向した他側及び上記支持体の両者の一方に連結し、上記コ字の反開口端からなる他端を上記両者の他方に連結したことを特徴とする請求項１記載の換気扇。
【請求項３】
取付板を枠体における上記枠体の互いに隣接した三つの角隅部にそれぞれ装着し、取付腕を上記取付板のそれぞれに配置して一端を支持体に連結して他端は上記取付板に連結し、取付脚の一端を上記支持体に連結し他端は上記取付板に対向した上記枠体の他側に連結したことを特徴とする請求項１記載の換気扇。
【請求項４】
角形筒体からなる枠体と、
この枠体内に配置された支持体と、
上記枠体の一側の開口端の全ての角隅部にそれぞれ装着された取付板と、
一端が上記支持体に連結され、他端が上記各取付板に上記枠体の一側からそれぞれ連結された取付腕と、
上記支持体に上記枠体の一側から装着された電動機と、
この電動機の出力軸に上記枠体の一側から装着されたファンと
を備えた換気扇。
【請求項５】
取付腕及び取付脚の少なくとも一方の板状面をファンによる空気流に沿う方向に配置したことを特徴とする請求項１〜請求項４のいずれか一つに記載の換気扇。
【請求項６】
枠体に装着されて電動機を制御する電動機制御器を備えたことを特徴とする請求項１〜請求項４のいずれか一つに記載の換気扇。
【請求項７】
枠体の他側に連結されたシャッター及び上記枠体に装着されて上記シャッターの動作を制御するシャッター制御器を備えたことを特徴とする請求項１〜請求項４のいずれか一つに記載の換気扇。
【請求項８】
角形筒体からなる枠体の一側の開口端における互いに隣接した角隅部にそれぞれ取付板を装着する工程と、
上記取付板のそれぞれに配置される取付腕の一端をそれぞれ上記枠体内に配置される支持体に装着する工程と、
コ字状をなす取付脚の上記コ字の開口端からなる一端及び反上記開口端からなる他端からなる両者の一方を上記支持体に連結する工程と、
上記取付腕の他端を上記各取付板に上記枠体の一側からそれぞれ装着する取付腕工程と、
上記取付脚の上記両者の他方を上記枠体の上記角隅部に対向した他側に装着する取付脚工程と、
上記角形筒体の中心軸線に上記出力軸を一致させて配置される電動機を上記支持体に上記枠体の一側から装着する工程と、
前記電動機の出力軸にファンを前記枠体の一側から装着する工程と
を備えたことを特徴とする換気扇の製造方法。
【請求項９】
角形筒体からなる枠体の一側の開口端における互いに隣接した三つの角隅部にそれぞれ取付板を装着する工程と、
上記取付板のそれぞれに配置される取付腕の一端をそれぞれ上記枠体内に配置される支持体に装着する工程と、
取付脚の一端及び他端からなる両者の一方を上記支持体に連結する工程と、
上記取付腕の他端を上記各取付板に上記枠体の一側からそれぞれ装着する取付腕工程と、
上記取付脚の上記両者の他方を上記取付板に対向した上記枠体の他側に装着する取付脚工程と、
上記角形筒体の中心軸線に上記出力軸を一致させて配置される電動機を上記支持体に上記枠体の一側から装着する工程と、
前記電動機の出力軸にファンを前記枠体の一側から装着する工程と
を備えたことを特徴とする換気扇の製造方法。
【発明の詳細な説明】
【０００１】
【発明の属する技術分野】
この発明は、出力軸にファンを装着した電動機が枠体内に設けられてなる換気扇及び換気扇の製造方法に関する。
【０００２】
【従来の技術】
図８〜図１０は、従来の換気扇を示す図で、図８は側面図、図９は図８の右側面図すなわち換気扇の背面図、図１０は図８の換気扇を分解して示す斜視図である。図において、１は居室等の壁、２は壁１に設けられた開口部、３は開口部２の縁部に対向して設けられた枠板で、中心部に丸孔４が形成されている。
【０００３】
５はフレームで、中心に支持孔６が設けられて枠板３面から離れて配置された支持体７及び支持体７から四本が放射状に設けられ中間部が枠板３方向へ屈曲されて先端が枠板３の隅部にそれぞれ締結された支持腕８によって構成されている。９は電動機で、フレーム５の支持孔６に嵌合状態に支持されて出力軸１０が枠板３に直交した直線に一致し、かつ枠板３の丸孔４の中心位置に配置されている。１１はファンで、ボス部１２が電動機９の出力軸１０に固定されて枠板３の丸孔４内に配置されている。
【０００４】
従来の換気扇は上記のように構成され、次に述べるように組立てられる。すなわち、ファン１１のボス部１２が電動機９の出力軸１０に固定され、次いでファン１１が装着された電動機９がフレーム５の支持体７に図８における枠板３側から装着される。そして、電動機９が装着されたフレーム５の支持腕８が枠板３に図８におけるフレーム５側から締結されて換気扇の組立てが終了する。なお、換気扇は枠板３が壁１の開口部２縁部に締結されて壁１に設置される。
【０００５】
【発明が解決しようとする課題】
上記のような従来の換気扇において、ファン１１が装着された電動機９をフレーム５の支持体７に装着して、このフレーム５が枠板３に締結される。したがって、電動機９をフレーム５を介して枠板３に装着するために、図８における枠板３の両側のそれぞれの方向からの作業を要し、組立作業性が低いという問題点があった。
【０００６】
この発明は、かかる問題点を解消するためになされたものであり、良好な組立作業性によって電動機を装着できる換気扇及び換気扇の製造方法を得ることを目的とする。
【０００７】
【課題を解決するための手段】
この発明に係る換気扇においては、角形筒体からなる枠体と、この枠体内に配置された支持体と、枠体の一側の開口端の角隅部に装着された取付板と、一端が支持体に連結され、他端が取付板に枠体の一側から連結された取付腕と、一端が支持体に連結され、他端が枠体の角隅部に対向した他側に連結された取付脚と、支持体に枠体の一側から装着された電動機と、この電動機の出力軸に枠体の一側から装着されたファンとが設けられる。
【０００８】
また、この発明に係る換気扇においては、取付板が枠体の一辺における枠体の互いに隣接した角隅部にそれぞれ装着され、取付腕を取付板のそれぞれに配置し一端が支持体に連結され他端は取付板に連結され、また取付脚をコ字状に形成してコ字の開口端からなる一端が枠体の一辺に対向した他側及び支持体の両者の一方に連結され、取付脚のコ字の反開口端からなる他端が上記両者の他方に連結される。
【０００９】
また、この発明に係る換気扇においては、取付板を枠体における枠体の互いに隣接した三つの角隅部にそれぞれ装着し、取付腕を取付板のそれぞれに配置して一端が支持体に連結され他端は取付板に連結され、また取付脚の一端が支持体に連結され他端は取付板に対向した枠体の他側に連結される。
【００１０】
また、この発明に係る換気扇においては、角形筒体からなる枠体と、この枠体内に配置された支持体と、枠体の一側の開口端の全ての角隅部にそれぞれ装着された取付板と、一端が支持体に連結され、他端が各取付板に枠体の一側からそれぞれ連結された取付腕と、支持体に枠体の一側から装着された電動機と、この電動機の出力軸に枠体の一側から装着されたファンとが設けられる。
【００１２】
また、この発明に係る換気扇においては、取付腕及び取付脚の少なくとも一方の板状面がファンによる空気流に沿う方向に配置される。
【００１３】
また、この発明に係る換気扇においては、枠体に装着されて電動機を制御する電動機制御器が設けられる。
【００１４】
また、この発明に係る換気扇においては、枠体の他側に連結されたシャッター及び枠体に装着されてシャッターの動作を制御するシャッター制御器が設けられる。
【００１５】
また、この発明に係る換気扇の製造方法においては、角形筒体からなる枠体の一側の開口端における互いに隣接した角隅部にそれぞれ取付板を装着する工程と、取付板のそれぞれに配置される取付腕の一端をそれぞれ枠体内に配置される支持体に装着する工程と、コ字状をなす取付脚のコ字の開口端からなる一端及び反開口端からなる他端からなる両者の一方を支持体に連結する工程と、取付腕の他端を各取付板に枠体の一側からそれぞれ装着する取付腕工程と、取付脚の両者の他方を枠体の角隅部に対向した他側に装着する取付脚工程と、上記角形筒体の中心軸線に上記出力軸を一致させて配置される電動機を上記支持体に上記枠体の一側から装着する工程と、前記電動機の出力軸にファンを前記枠体の一側から装着する工程とを備える。
【００１６】
また、この発明に係る換気扇の製造方法においては、角形筒体からなる枠体の一側の開口端における互いに隣接した三つの角隅部にそれぞれ取付板を装着する工程と、取付板のそれぞれに配置される取付腕の一端をそれぞれ枠体内に配置される支持体に装着する工程と、取付脚の一端及び他端からなる両者の一方を支持体に連結する工程と、取付腕の他端を各取付板に枠体の一側からそれぞれ装着する取付腕工程と、取付脚の両者の他方を取付板に対向した枠体の他側に装着する取付脚工程と、上記角形筒体の中心軸線に上記出力軸を一致させて配置される電動機を上記支持体に上記枠体の一側から装着する工程と、前記電動機の出力軸にファンを前記枠体の一側から装着する工程とを備える。
【００１７】
【発明の実施の形態】
実施の形態１．
図１〜図４は、この発明の実施の形態の一例を示す図で、図１は換気扇を分解して示す斜視図、図２は図１の支持体箇所の拡大斜視図、図３は図１の枠体箇所の拡大斜視図、図４は図１の換気扇の枠体箇所における枠板装着側の正面図である。
【００１８】
１３は枠板３の一側に配置される枠体で、角形筒体からなりこの角形筒体の枠板３側の開口端の四隅にはそれぞれ取付板１４が装着されている。１５は枠体１３内に配置された支持体で、中心部に支持孔１６及び四隅にそれぞれねじ孔１７が設けられている。１８は取付腕で、枠体１３の一辺における枠体１３の互いに隣接した角隅部に装着された取付板１４のそれぞれに配置され、一端が支持体１５に連結され他端には取付板１４側への屈曲部１９が形成されて、その先端が屈折されて取付板１４の外面に対向した取付部２０が構成され、取付部２０に取付孔２１が設けられている。
【００１９】
２２は取付脚で、コ字状をなしコ字の開口部からなる一端が支持体１５の反取付腕１８側に連結され、他端は枠体１３の取付腕１８が装着される角隅部が両端に配置された一辺に対向した他側に対面して配置されて、この対面部にねじ孔２３が設けられている。２４は取付腕１８が装着される取付板１４に取付腕１８先端部に対応して設けられた切欠部、２５は切欠部２４が設けられた取付板１４に形成されたねじ孔、２６は枠体１３に設けられて取付脚２２のねじ孔２３に対応して配置された貫通孔である。
【００２０】
２７は枠体１３の貫通孔２６に挿通されて取付脚２２のねじ孔２３にねじ込まれるボルト、９は電動機で、支持体１５の支持孔１６に嵌合状態に支持されて出力軸１０が枠板３に直交した直線に一致し、かつ枠板３の丸孔４の中心位置に配置されている。１１はファンで、ボス部１２が電動機９の出力軸１０に固定されて枠板３の丸孔４内に配置されている。
【００２１】
２８は蓋状をなし枠板３の反枠体１３側を覆って設けられたフィルター、２９は枠体１３の反枠板３側に配置されたシャッター、３０はシャッター２９を開閉させる動作機構、３１は動作機構３０を動作させる駆動機、３２は駆動機３１を制御するシャッター制御器で枠体１３に設けられている。３３は電動機９を制御する電動機制御器で、枠体１３に設けられている。
【００２２】
上記のように構成された換気扇が次に述べるように組立てられる。すなわち、枠体１３の一側における開口端の四隅に、溶接等によってそれぞれ取付板１４が装着される。また、支持体１５の一側に取付腕１８が溶接等によって装着され、取付腕１８に対向した他側に取付脚２２が装着される。次いで、支持体１５の支持孔１６に電動機９が嵌合され、支持体１５のねじ孔１７を介してボルト（図示しない）によって電動機９が締結される。
【００２３】
そして、支持体１５に固定された取付腕１８先端部を取付板１４の切欠部２４に嵌合し、取付部２０を取付板１４に重合して取付孔２１に挿通したボルト（図示しない）をねじ孔２５にねじ込んで取付腕１８を枠体１３に締結する。また、枠体１３の貫通孔２６にボルト２７を挿通して支持体１５に固定された取付脚２２のねじ孔２３にねじ込んで取付脚２２を枠体１３に締結する。
【００２４】
次に、枠体１３の取付板１４にシャッター制御器３２、電動機制御器３３を装着する。そして、枠体１３の取付板１４側の開口端に枠板３を装着し、また枠体１３の反枠板３側の開口端にシャッター２９、動作機構３０、駆動機３１を装着する。次いで、枠板３の反枠体１３側にフィルター２８を装着して換気扇の組立が終了する。
【００２５】
このようにして換気扇が組立てられるので、取付腕１８、取付脚２２を図１における枠板３側及び枠体１３の外面側からの作業によって枠体１３に装着することができ、これにより枠体１３に対して枠板３側からの作業を介して電動機９を支持体１５に装着することができる。したがって、電動機９を枠体１３に装着するときの良好な組立作業性が得られ、能率よく組立てることができて生産性を向上することができる。
【００２６】
また、図１〜図４の実施の形態において、取付腕１８及び取付脚２２の板状面をファン１１による空気流に沿う方向に配置する。これにより、ファン１１による空気流の障害発生が少なくなって、送風効率を向上することができる。
【００２７】
また、図１〜図４の実施の形態において、電動機制御器３３が枠体１３に配置される。これにより、ファン１１による空気流の障害発生少なくなって、送風効率を向上することができる。
【００２８】
また、図１〜図４の実施の形態において、枠体１３の一側に連結されたシャッター２９のシャッター制御器３２が枠体１３に配置される。このため、ファン１１による空気流の障害発生少なくなって、送風効率を向上することができる。
【００２９】
また、枠体１３の少なくとも二つの隅部の取付板１４に取付腕１８が締結されるので、電動機９の振動が枠体１３へ伝わり難い構造とすることができる。また、このような構造によって構造体としての強度の要求に対応でき、かつ換気能力の大きい換気扇を得ることができる。
【００３０】
実施の形態２．
図５は、この発明の他の実施の形態の一例を示す図で、換気扇の枠体箇所における枠板装着側の正面図、すなわち前述の図４相当図である。なお、図５の他は前述の図１〜図４と同様に換気扇が構成され居室等における壁の開口部に装着される。図において、図１〜図４と同符号は相当部分を示す。
【００３１】
１８は取付腕で、枠体１３の互いに隣接した三箇所の角隅部に装着された取付板１４のそれぞれに配置されいる。３４は前述の取付脚２２と同様に配置された取付脚で、一本の棒体からなり一端が支持体１５の反取付腕１８側に連結され、他端は枠体１３の取付腕１８が装着されていない角隅部に接続した一辺に締結されている。
【００３２】
上記のように構成された換気扇においても、前述の図１〜図４の実施の形態と同様な取付腕１８及び機能的に同様な取付脚３４が設けられる。したがって、詳細な説明を省略するが図５の実施の形態においても図１〜図４の実施の形態と同様な作用が得られる。
【００３３】
また、枠体１３の三隅部の取付板１４に取付腕１８が締結されるので、電動機９の振動が枠体１３へ伝わり難い構造とすることができる。また、このような構造によって構造体としての強度の要求に対応でき、かつ換気能力の大きい換気扇を得ることができる。
【００３４】
実施の形態３．
図６も、この発明の他の実施の形態の一例を示す図で、換気扇の枠体箇所における枠板装着側の正面図、すなわち前述の図４相当図である。なお、図６の他は前述の図１〜図４と同様に換気扇が構成され居室等における壁の開口部に装着される。図において、図１〜図４と同符号は相当部分を示し、１８は取付腕で、枠体１３のそれぞれの角隅部に装着された取付板１４のそれぞれに配置される。
【００３５】
上記のように構成された換気扇においても、前述の図１〜図４の実施の形態と同様な取付腕１８によって電動機９が支持体１５を介して枠体１３に装着される。これによって、枠体１３に対して前述の図１における枠板３側から電動機９を支持体１５に装着することができる。したがって、詳細な説明を省略するが図６の実施の形態においても図１〜図４の実施の形態と同様な作用が得られる。
【００３６】
また、枠体１３の四隅部の取付板１４に取付腕１８が締結されるので、電動機９の振動が枠体１３へ伝わり難い構造とすることができる。また、このような構造によって構造体としての強度の要求に対応でき、かつ換気能力の大きい換気扇を得ることができる。
【００３７】
実施の形態４．
図７も、この発明の他の実施の形態の一例を示す図で、換気扇の枠体箇所における枠板装着側の正面図、すなわち前述の図４相当図である。なお、図７の他は前述の図１〜図４と同様に換気扇が構成され居室等における壁の開口部に装着される。図において、図１〜図４と同符号は相当部分を示す。
【００３８】
２２は支持体１５に対して対称位置に設けられた取付脚で、コ字状をなしコ字の開口部からなる一端が支持体１５に連結され、他端は枠体１３の側面に対向して配置されて、枠体１３の対向部位に前述の図１〜図４の実施の形態の取付脚２２と同様に締結されている。
【００３９】
上記のように構成された換気扇においても、前述の図１〜図４の実施の形態と同様な取付脚２２が配置される。そして、支持体１５の対称位置に設けられた取付脚２２によって電動機９が支持体１５を介して枠体１３に装着される。これによって、取付脚２２を枠体１３の外面側からの作業によって枠体１３に装着することができる。したがって、詳細な説明を省略するが図７の実施の形態においても図１〜図４の実施の形態と同様な作用が得られる。
【００４０】
なお、図７の実施の形態においてシャッター制御器３２の代わりにシャッター用ギァードモータが装備された場合であっても、また電動機制御器３３の代わりに電動機電源取り入れの端子台等が装備された場合であっても、図７の実施の形態における作用と同様な作用を得ることができる。
【００４１】
【発明の効果】
この発明は以上説明したように、角形筒体からなる枠体と、この枠体内に配置された支持体と、枠体の一側の開口端の角隅部に装着された取付板と、一端が支持体に連結され、他端が取付板に枠体の一側から連結された取付腕と、一端が支持体に連結され、他端が枠体の角隅部に対向した他側に連結された取付脚と、支持体に枠体の一側から装着された電動機と、この電動機の出力軸に枠体の一側から装着されたファンとを設けたものである。
【００４２】
これによって、取付腕、取付脚を枠板装着側及び枠体の外面側からの作業によって枠体に装着することができる。これにより枠体に対して枠板装着側からの作業を介して電動機を支持体に装着することができる。したがって、電動機を枠体に装着するときの良好な組立作業性が得られ、能率よく組立てることができて生産性を向上する効果がある。
【００４３】
また、この発明は以上説明したように、取付板を枠体の一辺における枠体の互いに隣接した角隅部にそれぞれ装着し、取付腕を取付板のそれぞれに配置し一端を支持体に連結して他端は取付板に連結する。また、取付脚をコ字状に形成して、コ字の開口端からなる一端を枠体の一辺に対向した他側及び支持体の両者の一方に連結し取付脚のコ字の反開口端からなる他端を上記両者の他方に連結したものである。
【００４４】
これによって、二つの取付腕、コ字状の取付脚を枠板装着側及び枠体の外面側からの作業によって枠体に装着することができる。これにより枠体に対して枠板装着側からの作業を介して電動機を支持体に装着することができる。したがって、電動機を枠体に装着するときの良好な組立作業性が得られ、能率よく組立てることができて生産性を向上する効果がある。
また、枠体の二隅部の取付板に取付腕が締結されるので、電動機の振動が枠体へ伝わり難い構造とすることができる。そして、このような構造によって構造体としての強度の要求に対応でき、しかも換気能力の大きい換気扇を得る効果がある。
【００４５】
また、この発明は以上説明したように、取付板を枠体における枠体の互いに隣接した三つの角隅部にそれぞれ装着し、取付腕を取付板のそれぞれに配置して一端を支持体に連結して他端は取付板に連結し、また取付脚の一端を支持体に連結し他端は取付板に対向した枠体の他側に連結したものである。
【００４６】
これによって、三つの取付腕、一つの取付脚を枠板装着側及び枠体の外面側からの作業によって枠体に装着することができる。これにより枠体に対して枠板装着側からの作業を介して電動機を支持体に装着することができる。したがって、電動機を枠体に装着するときの良好な組立作業性が得られ、能率よく組立てることができて生産性を向上する効果がある。
また、枠体の三隅部の取付板に取付腕が締結されて、電動機の振動が枠体へ伝わり難い構造とすることができる。そして、このような構造によって構造体としての強度の要求に対応でき、かつ換気能力の大きい換気扇を得る効果がある。
【００４７】
また、この発明は以上説明したように、角形筒体からなる枠体と、この枠体内に配置された支持体と、枠体の一側の開口端の全ての角隅部にそれぞれ装着された取付板と、一端が支持体に連結され、他端が各取付板に枠体の一側からそれぞれ連結された取付腕と、支持体に枠体の一側から装着された電動機と、この電動機の出力軸に枠体の一側から装着されたファンとを設けたものである。
【００４８】
これによって、枠体の全ての角隅部にそれぞれ配置された取付腕を枠板装着側からの作業によって枠体に装着することができ、枠体に対して枠板装着側からの作業を介して電動機を支持体に装着することができる。したがって、電動機を枠体に装着するときの良好な組立作業性が得られ、能率よく組立てることができて生産性を向上する効果がある。
また、枠体の四隅部の取付板に取付腕が締結されて、電動機の振動が枠体へ伝わり難い構造とすることができる。そして、このような構造によって構造体としての強度の要求に対応でき、かつ換気能力の大きい換気扇を得る効果がある。
【００５１】
また、この発明は以上説明したように、取付腕及び取付脚の少なくとも一方の板状面をファンによる空気流に沿う方向に配置したものである。
【００５２】
これによって、取付腕、取付脚が配置されることによるファンの空気流の障害が少なくなって送風効率を向上する効果がある。
【００５３】
また、この発明は以上説明したように、枠体に装着されて電動機を制御する電動機制御器を設けたものである。
【００５４】
これによって、電動機制御器が枠体に配置されるので、ファンの空気流の障害が少なくなって送風効率を向上する効果がある。
また、枠体隅部の取付板に取付腕が締結されると共に電動機制御器が装着されるので、部品数を少なくすることができて製造費を低減する効果がある。
【００５５】
また、この発明は以上説明したように、枠体の他側に連結されたシャッター及び枠体に装着されてシャッターの動作を制御するシャッター制御器を設けたものである。
【００５６】
これによって、枠体の一側に連結されたシャッターのシャッター制御器が枠体に配置される。このため、ファンの空気流の障害が少なくなって送風効率を向上する効果がある。
また、枠体隅部の取付板に取付腕が締結されると共にシャッター制御器が装着されるので、部品数を少なくすることができて製造費を低減する効果がある。
【００５７】
また、この発明は以上説明したように、角形筒体からなる枠体の一側の開口端における互いに隣接した角隅部にそれぞれ取付板を装着する工程と、取付板のそれぞれに配置される取付腕の一端をそれぞれ枠体内に配置される支持体に装着する工程と、コ字状をなす取付脚のコ字の開口端からなる一端及び反開口端からなる他端からなる両者の一方を支持体に連結する工程と、取付腕の他端を各取付板に枠体の一側からそれぞれ装着する取付腕工程と、取付脚の両者の他方を枠体の角隅部に対向した他側に装着する取付脚工程と、角形筒体の中心軸線に出力軸を一致させて配置される電動機を支持体に枠体の一側から装着する工程と、電動機の出力軸にファンを枠体の一側から装着する工程とを備えたものである。
【００５８】
これによって、取付腕、取付脚を枠板装着側及び枠体の外面側からの作業によって枠体に装着することができる。これにより枠体に対して枠板装着側からの作業を介して電動機を支持体に装着することができる。したがって、電動機を枠体に装着するときの良好な組立作業性が得られ、能率よく組立てることができて生産性を向上する効果がある。
【００５９】
また、この発明は以上説明したように、角形筒体からなる枠体の一側の開口端における互いに隣接した三つの角隅部に、それぞれ取付板を装着する工程と、取付板のそれぞれに配置される取付腕の一端をそれぞれ枠体内に配置される支持体に装着する工程と、取付脚の一端及び他端からなる両者の一方を支持体に連結する工程と、取付腕の他端を各取付板に枠体の一側からそれぞれ装着する取付腕工程と、取付脚の両者の他方を取付板に対向した枠体の他側に装着する取付脚工程と、角形筒体の中心軸線に出力軸を一致させて配置される電動機を支持体に枠体の一側から装着する工程と、電動機の出力軸にファンを枠体の一側から装着する工程とを備えたものである。
【００６０】
これによって、取付腕、取付脚を枠板装着側及び枠体の外面側からの作業によって枠体に装着することができる。これにより枠体に対して枠板装着側からの作業を介して電動機を支持体に装着することができる。したがって、電動機を枠体に装着するときの良好な組立作業性が得られ、能率よく組立てることができて生産性を向上する効果がある。
【図面の簡単な説明】
【図１】  この発明の実施の形態１を示す図で、換気扇を分解して示す斜視図。
【図２】  図１の支持体箇所の拡大斜視図。
【図３】  図１の枠体箇所の拡大斜視図。
【図４】  図１の換気扇の枠体箇所における枠板装着側の正面図。
【図５】  この発明の実施の形態２を示す図で、換気扇の枠体箇所における枠板装着側の正面図であり前述の図４相当図。
【図６】  この発明の実施の形態３を示す図で、換気扇の枠体箇所における枠板装着側の正面図であり前述の図４相当図。
【図７】  この発明の実施の形態４を示す図で、換気扇の枠体箇所における枠板装着側の正面図であり前述の図４相当図。
【図８】  従来の換気扇を示す側面図。
【図９】  図８の右側面図すなわち換気扇の背面図。
【図１０】  図８の換気扇を分解して示す斜視図。
【符号の説明】
９  電動機、１０  出力軸、１１  ファン、１３  枠体、１４  取付板、１５支持体、１８  取付腕、２２  取付脚、２９  シャッター、３２  シャッター制御器、３３  電動機制御器、３４  取付脚。
【図１】
0003663041.tif 000002
【図２】
0003663041.tif 000003
【図３】
0003663041.tif 000004
【図４】
0003663041.tif 000005
【図５】
0003663041.tif 000006
【図６】
0003663041.tif 000007
【図７】
0003663041.tif 000008
【図８】
0003663041.tif 000009
【図９】
0003663041.tif 000010
【図１０】
0003663041.tif 000011